【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
クロマトグラフィーシステムでのサンプル流れ内における１つまたはそれ以上のサンプル要素を検出および収集する方法であって、
クロマトグラフィーの実行中に、第１サンプル流れを形成するために、クロマトグラフィーカラムを用いて流体混合物から１つまたはそれ以上のサンプル要素を分離するステップと、
キャリアガスを含む第２サンプル流れを生成するステップと、
前記第１サンプル流れの一部を前記第２サンプル流れに移動させるステップと、を有し、前記第２サンプル流れは少なくとも１つの破壊式検出器と流体連通しており、
前記方法はさらに、クロマトグラフィーの実行中に、前記破壊式検出器から少なくとも１つの信号を生成するステップと、
前記少なくとも１つの信号の変化に応答して、前記第１サンプル流れから１つ以上の成分を画分収集器内に収集するステップと、を有する、方法。
【請求項２】
請求項１に記載の方法であって、前記生成するステップおよび前記収集するステップはクロマトグラフィーの実行中に行われる、方法。
【請求項３】
請求項１に記載の方法であって、蒸発性光散乱検出器（ＥＬＳＤ）、質量スペクトル検出器（ＭＳ）、凝集核形成光散乱検出器（ＣＮＬＳＤ）、およびコロナ放電検出器からなるグループから選択される少なくとも１つの破壊式検出器を含む、方法。
【請求項４】
請求項１に記載の方法であって、前記クロマトグラフィーシステムはさらに、光学吸収検出器、屈折率検出器（ＲＩＤ）、蛍光検出器（ＦＤ）、カイラル検出器（ＣＤ）、および伝導率検出器からなるグループから選択される少なくとも１つの非破壊式検出器を含む、方法。
【請求項５】
請求項４に記載の方法であって、前記非破壊式検出器は、少なくとも１つの光学吸収検出器を有する、方法。
【請求項６】
請求項５に記載の方法であって、前記光学吸収検出器は、２つ以上の検出応答値を生成するように、２つ以上の波長を観察する、方法。
【請求項７】
請求項１に記載の方法であって、前記破壊式検出器は、蒸発性光散乱検出器を有する、方法。
【請求項８】
請求項１に記載の方法であって、前記移動させるステップは、
スプリッタポンプ、
シャトルバルブ、または、
スプリッタポンプとシャトルバルブとの組み合わせ、を使用して行われ、
前記スプリッタポンプ、前記シャトルバルブ、またはそれらの組み合わせは、前記少なくとも１つの破壊式検出器と流体連通する、方法。
【請求項９】
請求項１に記載の方法であって、
前記能動的に移動させるステップは、１０秒ごとに少なくとも１アリコットの周波数で、前記第１サンプル流れからアリコットを移動させるステップを有する、方法。
【請求項１０】
請求項１に記載の方法を実行するための、コンピュータで実行可能な命令が格納された非過渡的なコンピュータで読取り可能な媒体。
【請求項１１】
請求項１に記載の方法を用いてサンプルを検出する装置。
【請求項１２】
クロマトグラフィーの実行中に、第１サンプル流れ内における１つまたはそれ以上のサンプル要素を検出および収集するためのクロマトグラフィー装置であって、前記装置は、
前記第１サンプル流れに流体連通するクロマトグラフィーカラムと、
キャリアガスを含む第２サンプル流れと、
前記第１サンプル流れの一部を前記第２サンプル流れへ移動させるスプリッタと、を有し、前記第２サンプル流れは、クロマトグラフィー実行中に、少なくとも１つの検出応答値を生成する少なくとも１つの破壊式検出器と流体連通しており、
前記装置はさらに、前記少なくとも１つの検出応答値を受け取り、前記破壊式検出器から受け取った少なくとも１つの検出応答値から少なくとも１つの信号を生成するように構成されるプロセッサと、
前記少なくとも１つの信号の変化に応答して前記成分の少なくとも１つに対応する少なくとも１つの画分を収集するように構成される画分収集器と、を有する、装置。
【請求項１３】
請求項１２に記載の装置であって、前記画分ハクロマトグラフィー実行中に収集される、装置。
【請求項１４】
請求項１２に記載の装置であって、蒸発性光散乱検出器（ＥＬＳＤ）、質量スペクトル検出器（ＭＳ）、凝集核形成光散乱検出器（ＣＮＬＳＤ）、およびコロナ放電検出器からなるグループから選択される少なくとも１つの破壊式検出器を含む、装置。
【請求項１５】
請求項１２に記載の装置であって、前記クロマトグラフィーシステムはさらに、光学吸収検出器、屈折率検出器（ＲＩＤ）、蛍光検出器（ＦＤ）、カイラル検出器（ＣＤ）、および伝導率検出器からなるグループから選択される少なくとも１つの非破壊式検出器を含む、装置。
【請求項１６】
請求項１５に記載の装置であって、前記非破壊式検出器は、少なくとも１つの光学吸収検出器を有する、装置。
【請求項１７】
請求項１２に記載の装置であって、前記破壊式検出器は蒸発性光散乱検出器を有する、装置。
【請求項１８】
請求項１２に記載の装置であって、前記スプリッタは、
スプリッタポンプ、
シャトルバルブ、または、
スプリッタポンプとシャトルバルブとの組み合わせ、を有し、
前記スプリッタポンプ、前記シャトルバルブ、またはそれらの組み合わせは、前記少なくとも１つの破壊式検出器と流体連通する、装置。
【請求項１９】
クロマトグラフィーの実行中に、クロマトグラフィーシステムでのサンプル流れ内における１つまたはそれ以上のサンプル要素を検出および収集する方法であって、前記方法は、
第１サンプル流れをクロマトグラフィーカラムに通過させるステップと、
第２サンプル流れを形成するために、前記カラムを出る第１サンプル流れの一部を能動的に分割するステップと、を有し、前記第２サンプル流れは蒸発性粒子検出器に流体連通し、前記第１サンプル流れは光学吸収検出器に流体連通し、
前記第１サンプル流れ、前記蒸発性粒子検出器を通過せず、前記第２サンプル流れは光学吸収検出器を通過せず、前記光学吸収検出器は、吸収スペクトルまたはスペクトル内の波長範囲を監視し、監視される波長の各々から応答値を生成し、
前記方法はさらに、クロマトグラフィー実行中に、前記光学吸収検出器により監視される波長の各々に関連付けられる前記応答値から生じる第１信号を生成するステップと、
クロマトグラフィー実行中に、前記蒸発性粒子検出器からの応答から生じる第２信号を生成するステップと、
クロマトグラフィー実行中に生成された情報に応じて、クロマトグラフィー実行中に、前記第１流れから少なくとも１つの要素を画分収集器内に集めるステップと、を有し、前記情報は前記信号の少なくとも１つの変化からなる、方法。
【請求項２０】
請求項１９に記載の方法であって、前記能動的に分割するステップは、流れスプリッタ装置およびスプリッタポンプの使用により実行され、前記スプリッタポンプは、前記第２流れ中に、前記装置の下流であり且つ前記蒸発性粒子検出器の上流に位置決めされる、方法。
【請求項２１】
請求項１９または２０に記載の方法であって、前記情報は、少なくとも前記第１信号の変化を含む、方法。
【請求項２２】
請求項１９または２０に記載の方法であって、前記情報は、少なくとも前記第２信号の変化を含む、方法。
【請求項２３】
請求項１９または２０に記載の方法であって、前記情報は、前記第１信号および前記第２信号の両方の変化を含む、方法。
【請求項２４】
請求項１９または２０に記載の方法であって、少なくとも前記第１信号は、それぞれの検出器の応答値の１次微分または２次微分に基づく、方法。
【請求項２５】
請求項１９または２０に記載の方法であって、少なくとも前記第２信号は、それぞれの検出器の応答値の１次微分または２次微分に基づく、方法。
【請求項２６】
請求項１９または２０に記載の方法であって、前記第１信号および前記第２信号の両方は、それぞれの検出器の応答値の１次微分または２次微分に基づく、方法。
【請求項２７】
クロマトグラフィーの実行中に、クロマトグラフィーシステムでの第１サンプル流れ内における１つまたはそれ以上のサンプル要素を検出および収集するためのクロマトグラフィー装置であって、前記装置は、
前記第１サンプル流れに流体連通するクロマトグラフィーカラムと、
第２サンプル流れを形成するために、前記カラムを出る前記第１サンプル流れの一部を能動的に分割する手段と、
前記第１サンプル流れに流体連通する光学吸収検出器とを有し、前記光学吸収検出器は、吸収スペクトルまたはスペクトル内の波長範囲を監視し、監視される波長の各々から応答値を生成することができ、
前記装置はさらに、前記第２サンプル流れに流体連通する、少なくとも１つの応答値を生成することができる蒸発性粒子検出器を有し、
前記分割する手段および前記検出器は、前記第１サンプル流れが前記蒸発性粒子検出器を通過せず、前記第２サンプル流れが前記光学吸収検出器を通過しないように配置され、
前記装置はさらに、プロセッサと、
クロマトグラフィー実行中に、前記第１流れから要素を集める画分収集器と、を有し、前記プロセッサは、前記検出器から前記応答値を受け取り、クロマトグラフィー実行中に前記画分収集器が応答する出力を生成するように構成され、前記出力は、クロマトグラフィー実行中に生成される情報に基づいており、前記情報は、１つまたはそれ以上の、前記光学吸収検出器からの応答値の変化、前記蒸発性粒子検出器からの応答値の変化、または両者の変化からなる、装置。
【請求項２８】
請求項２７に記載の装置であって、前記手段は、流れスプリッタ装置およびスプリッタポンプを有し、前記スプリッタポンプは、前記第２流れの前記装置の下流に位置決めされる、装置。
【請求項２９】
請求項２７または２８に記載の装置であって、前記情報は、前記光学吸収検出器からの１つまたはそれ以上の応答値の少なくとも１つの変化を含む、装置。
【請求項３０】
請求項２７または２８に記載の装置であって、前記情報は、前記蒸発性粒子検出器からの応答値の少なくとも１つの変化を含む、装置。
【請求項３１】
請求項２９に記載の装置であって、前記出力は、前記応答値の１次微分または２次微分に基づく、装置。
【請求項３２】
請求項３０に記載の装置であって、前記出力は、前記応答値の１次微分または２次微分に基づく、装置。
【請求項３３】
請求項２７または２８に記載の装置であって、前記出力は、両方の前記検出器からの前記応答値の１次微分または２次微分に基づく、装置。
【請求項３４】
クロマトグラフィーの実行中に、クロマトグラフィーシステムでのサンプル流れ内における１つまたはそれ以上のサンプル要素を検出および収集する方法であって、前記方法は、
第１サンプル流れをクロマトグラフィーカラムに通過させるステップと、
第２サンプル流れを形成するために、前記カラムを出る第１サンプル流れの一部を能動的に分割するステップと、を有し、前記第２サンプル流れは蒸発性粒子検出器に流体連通し、前記第１サンプル流れは光学吸収検出器に流体連通し、
前記第１サンプル流れ、前記蒸発性粒子検出器を通過せず、前記第２サンプル流れは光学吸収検出器を通過せず、前記光学吸収検出器は、吸収スペクトルまたはスペクトル内の波長範囲を監視し、監視される波長の各々から応答値を生成し、
前記方法はさらに、クロマトグラフィー実行中に複合信号を生成するステップを有し、前記複合信号は、クロマトグラフィー実行中に両方の前記検出器から受け取った応答値からなる入力に基づく単一の信号であり、
前記方法はさらに、クロマトグラフィー実行中の前記複合信号の変化に応じて、クロマトグラフィー実行中に、前記第１流れから少なくとも１つの要素を画分収集器に収集するするステップを有する、方法。
【請求項３５】
請求項３４に記載の方法であって、前記能動的に分割するステップは、流れスプリッタ装置およびスプリッタポンプの使用により実行され、前記スプリッタポンプは、前記第２流れの前記装置の下流に位置決めされる、方法。
【請求項３６】
請求項３４または３５に記載の方法であって、前記複合信号の変化は、少なくとも前記光学吸収検出器からの応答値の変化に基づく、方法。
【請求項３７】
請求項３４または３５に記載の方法であって、前記複合信号の変化は、前記蒸発性粒子検出器からの応答値の変化に基づく、方法。
【請求項３８】
請求項３４または３５に記載の方法であって、前記複合信号の変化は、両方の前記検出器からの応答値の変化に基づく、方法。
【請求項３９】
請求項３６に記載の方法であって、前記複合信号は、前記応答値の１次微分または２次微分に基づく、方法。
【請求項４０】
請求項３７に記載の方法であって、前記複合信号は、前記応答値の１次微分または２次微分に基づく、方法。
【請求項４１】
請求項３８に記載の方法であって、前記複合信号は、前記応答値の１次微分または２次微分に基づく、方法。
【請求項４２】
クロマトグラフィーの実行中に、クロマトグラフィーシステムでの第１サンプル流れ内における１つまたはそれ以上のサンプル要素を検出および収集するためのクロマトグラフィー装置であって、前記装置は、
前記第１サンプル流れに流体連通するクロマトグラフィーカラムと、
第２サンプル流れを形成するために、前記カラムを出る前記第１サンプル流れの一部を能動的に分割する手段と、
前記第１サンプル流れに流体連通する光学吸収検出器とを有し、前記光学吸収検出器は、吸収スペクトルまたはスペクトル内の波長範囲を監視し、監視される波長の各々から応答値を生成することができ、
前記装置はさらに、前記第２サンプル流れに流体連通し、少なくとも１つの応答値を生成することができる蒸発性粒子検出器を有し、
前記分割する手段および前記検出器は、前記第１サンプル流れが前記蒸発性粒子検出器を通過せず、前記第２サンプル流れが前記光学吸収検出器を通過しないように配置され、
前記装置はさらに、プロセッサと、
クロマトグラフィー実行中に、前記第１流れから要素を収集するための画分収集器と、を有し、前記プロセッサは、前記クロマトグラフィー実行中に前記検出器から応答値を受け取り、クロマトグラフィー実行中に生成された両方の前記検出器から受け取った応答値からなる入力に基づく単一の信号である複合信号を生成するように構成され、前記画分収集器は、前記複合信号の変化に応じて、クロマトグラフィー実行中に要素を収集するように動作する、装置。
【請求項４３】
請求項４２に記載の装置であって、前記手段は、流れスプリッタ装置およびスプリッタポンプを有し、前記スプリッタポンプは、前記第２流れの前記装置の下流に位置決めされる、装置。
【請求項４４】
請求項４２または４３に記載の装置であって、前記複合信号の変化は、少なくとも前記光学吸収検出器からの応答値の変化に基づく、装置。
【請求項４５】
請求項４２または４３に記載の装置であって、前記複合信号の変化は、少なくとも前記蒸発性粒子検出器からの応答値の変化に基づく、装置。
【請求項４６】
請求項４２または４３に記載の装置であって、前記複合信号の変化は、両方の前記検出器からの応答値の変化に基づく、装置。
【請求項４７】
請求項４４に記載の装置であって、前記複合信号は、前記応答値の１次微分または２次微分に基づく、装置。
【請求項４８】
請求項４５に記載の装置であって、前記複合信号は、前記応答値の１次微分または２次微分に基づく、装置。
【請求項４９】
請求項４６に記載の装置であって、前記複合信号は、前記応答値の１次微分または２次微分に基づく、装置。
【請求項５０】
クロマトグラフィーの実行中に、クロマトグラフィーシステムでのサンプル流れ内における１つまたはそれ以上のサンプル要素を検出および収集する方法であって、前記方法は、
第１サンプル流れをクロマトグラフィーカラムに通過させるステップと、
第２サンプル流れを形成するために、前記カラムを出る第１サンプル流れの一部を能動的に分割するステップと、を有し、前記第２サンプル流れは蒸発性粒子検出器に流体連通し、前記第１サンプル流れは光学吸収検出器に流体連通し、
前記能動的に分割するステップは、流れスプリッタ装置およびスプリッタポンプの使用により実行され、前記スプリッタポンプは、前記第２流れの前記装置の下流に位置決めされ、
前記第１サンプル流れ、前記蒸発性粒子検出器を通過せず、前記第２サンプル流れは光学吸収検出器を通過せず、前記光学吸収検出器は、吸収スペクトルまたはスペクトル内の波長範囲を監視し、監視される波長の各々から応答値を生成し、
前記方法はさらに、クロマトグラフィー実行中に、前記光学吸収検出器により監視される波長の各々に関連付けられる前記応答値から生じる第１信号を生成するステップと、
クロマトグラフィー実行中に、前記蒸発性粒子検出器からの応答から生じる第２信号を生成するステップと、
クロマトグラフィー実行中に生成された情報に応じて、クロマトグラフィー実行中に、前記第１流れから少なくとも１つの要素を画分収集器内に集めるステップと、を有し、前記情報は前記信号の少なくとも１つの変化からなる、方法。
【請求項５１】
請求項５０に記載の方法であって、前記情報は、少なくとも前記第１信号の変化を含む、方法。
【請求項５２】
請求項５０に記載の方法であって、前記情報は、少なくとも前記第２信号の変化を含む、方法。
【請求項５３】
請求項５０に記載の方法であって、前記情報は、両方の前記信号の変化を含む、方法。
【請求項５４】
請求項５０に記載の方法であって、少なくとも前記第１信号は、それぞれの検出器の応答値の１次微分または２次微分に基づく、方法。
【請求項５５】
請求項５０に記載の方法であって、少なくとも前記第２信号は、それぞれの検出器の応答値の１次微分または２次微分に基づく、方法。
【請求項５６】
請求項５０に記載の方法であって、前記第１信号および前記第２信号の両方は、それぞれの検出器の応答値の１次微分または２次微分に基づく、方法。
【請求項５７】
クロマトグラフィーの実行中に、クロマトグラフィーシステムでの第１サンプル流れ内における１つまたはそれ以上のサンプル要素を検出および収集するためのクロマトグラフィー装置であって、前記装置は、
前記第１サンプル流れに流体連通するクロマトグラフィーカラムと、
第２サンプル流れを形成するために、前記カラムを出る前記第１サンプル流れの一部を能動的に分割する手段と、を有し、前記手段は、流れスプリッタ装置およびスプリッタポンプを有し、前記スプリッタポンプは、前記第２流れの前記装置の下流に位置決めされ、
前記クロマトグラフィー装置はさらに、少なくとも２つの波長を監視し、監視される波長の各々から応答値を生成することができる、前記第１サンプル流れに流体連通する光学吸収検出器と、
少なくとも１つの応答値を生成することができる、前記第２サンプル流れに流体連通する蒸発性粒子検出器と、を有し、
前記分割する手段および前記検出器は、前記第１サンプル流れが前記蒸発性粒子検出器を通過せず、前記第２サンプル流れが前記光学吸収検出器を通過しないように配置され、
前記クロマトグラフィー装置はさらに、プロセッサと、
クロマトグラフィー実行中に、前記第１流れから要素を集める画分収集器と、を有し、前記プロセッサは、前記検出器から前記応答値を受け取り、クロマトグラフィー実行中に前記画分収集器が応答する出力を生成するように構成され、前記出力は、クロマトグラフィー実行中に生成される情報に基づいており、前記情報は、１つまたはそれ以上の、前記光学吸収検出器からの応答値の変化、前記蒸発性粒子検出器からの応答値の変化、または両者の変化からなる、装置。
【請求項５８】
請求項５７に記載の装置であって、前記情報は、前記光学吸収検出器からの１つまたはそれ以上の応答値の少なくとも１つの変化を含む、装置。
【請求項５９】
請求項５７に記載の装置であって、前記情報は、少なくとも前記蒸発性粒子検出器からの応答値の変化を含む、装置。
【請求項６０】
請求項５８に記載の装置であって、前記出力は、前記応答値の１次微分または２次微分に基づく、装置。
【請求項６１】
請求項５９に記載の装置であって、前記出力は、前記応答値の１次微分または２次微分に基づく、装置。
【請求項６２】
請求項５７に記載の装置であって、前記出力は、両方の前記検出器からの前記応答値の１次微分または２次微分に基づく、装置。